(57)【要約】【課題】  構図を明確に確認しながら撮影情報の検討も適時行うことのできるデジタルスチルカメラを提供する。【解決手段】  撮影時に被写体像を表示可能なデジタルスチルカメラ内に、レリーズ操作検出スイッチを設ける。レリーズ操作検出スイッチが、ユーザの指の接触を検出した時には、液晶モニタ１６上に撮影情報を被写体像に重ねて表示する。また、レリーズ操作検出スイッチが、ユーザの指の離れたことを検出すると、液晶モニタ１６上から撮影情報が消え、被写体像のみを表示する。【選択図】    図６
2004254302.tif 000002
【特許請求の範囲】
【請求項１】
撮影光学系によって捉えられる被写体像を、静止画像記録前に動画像として表示画面に表示する表示手段と、
被写体像を静止画像として記録するためのレリーズボタンと、
前記レリーズボタンに対する指の接触を検出するボタン操作検出手段とを備え、
前記表示手段が、前記レリーズボタンへの接触が検出されると、静止画像の記録に関する撮影情報を動画像とともに前記表示画面に重ねて表示することを特徴とするデジタルカメラ。
【請求項２】
前記撮影情報が、ユーザによって設定変更可能な撮影条件あるいは記録前の被写体の状態を示す情報であることを特徴とする請求項１に記載のデジタルカメラ。
【請求項３】
前記撮影情報が、撮影条件に関連した複数の設定項目を含み、
各項目が、項目内容を表すインジケータと、ユーザによって変更される設定条件とによって構成され、
前記表示手段が、前記複数の設定項目を一覧表示することを特徴とする請求項１に記載のデジタルカメラ。
【請求項４】
前記撮影情報が、露出補正値、ホワイトバランスモード、圧縮率、記録サイズ、ＩＳＯ感度及び明度分布を示すヒストグラムのうち少なくともいずれか１つを含むことを特徴とする請求項１に記載のデジタルカメラ。
【請求項５】
前記ボタン操作検出手段が、前記レリーズボタンに対する半押し及び全押し状態を更に検出することを特徴とする請求項１に記載のデジタルカメラ。
【請求項６】
前記ボタン操作検出手段が、積層状に配置された第１、第２及び第３の接片と、接点を有するスイッチであって、前記レリーズボタンに向かって前記接点、前記第３の接片、前記第２の接片、前記第１の接片の順に並べられたスイッチを有し、
前記ボタン操作検出手段が、前記第１と前記第２の接片との接触により前記レリーズボタンへの接触を検出し、前記第１、第２の接片が接触した状態で前記第２の接片が第３の接片に接触すると前記レリーズボタンへの半押しを検出し、前記第１と第２の接片および前記第２と第３の接片が接触した状態で前記第３の接片が前記接点に接触すると前記レリーズボタンへの全押しを検出することを特徴とする請求項３に記載のデジタルカメラ。
【請求項７】
前記表示手段が、前記ボタン操作検出手段により半押しが検出された場合、露出値を前記動画像に重ねて表示することを特徴とする請求項５に記載のデジタルカメラ。
【請求項８】
前記デジタルカメラが、ユーザが片手で保持できるとともにその状態において１本の指だけでレリーズボタンを操作できるコンパクト型カメラであることを特徴とする請求項１に記載のデジタルカメラ。
【請求項９】
撮影光学系によって捉えられる被写体像を、静止画像記録前に動画像として表示画面に表示する表示手段と、
被写体像を静止画像として記録するためのレリーズボタンと、
前記レリーズボタンに対する指の接触を検出するボタン操作検出手段とを備え、
前記表示手段が、前記レリーズボタンへの接触が検出されると、静止画像の記録に関する撮影情報を動画像とともに前記表示画面に重ねて表示することを特徴とする撮影および表示機能を備えた携帯型電子機器。
【発明の詳細な説明】
【技術分野】
【０００１】
本発明は、液晶表示画面等を有するデジタルカメラや、撮影および表示機能を備えた携帯型電子機器に関し、特に、静止画像を記録する前、動画像とともに撮影情報を表示することに関する。
【背景技術】
【０００２】
従来、デジタルカメラで撮影を行う場合、記録前に撮影光学系により捉えられた被写体像を液晶モニタへ動画像として表示することが可能であり、ユーザはファインダを覗かずに、撮影範囲を確認できるとともに構図を検討することができる。更に、露出補正値等の撮影情報をその上に重ねて表示することも可能であり、撮影前に露出補正値、ホワイトバランスモードなどの撮影情報を確認することができる。撮影情報の表示／非表示の切替えは専用ボタンの操作により行われる（例えば特許文献１及び非特許文献１参照）。
【特許文献１】特開２００２−２９０８００号公報
【非特許文献１】「ペンタックスOptio330RS  使用説明書」（第３２頁）（２００２年６月発行）
【発明の開示】
【発明が解決しようとする課題】
【０００３】
液晶モニタ上に被写体像を表示しながら撮影情報も共に表示する場合、撮影情報の表示が被写体像を遮ることにより、視認性を損ねるとともに構図の検討に支障をきたす。
【０００４】
そこで本発明では、構図を明確に確認しながら撮影情報の検討も適時行うことのできるデジタルスチルカメラを提供することを課題とする。
【課題を解決するための手段】
【０００５】
本発明のデジタルカメラは、撮影光学系によって捉えられる被写体像を、静止画像記録前に（撮影可能な状態において）動画像として表示画面に表示し、静止画像の記録に関する撮影情報も重ねて表示することを特徴とするデジタルカメラである。例えばデジタルカメラは、ユーザが片手で保持できるとともにその状態において１本の指だけでレリーズボタンを操作できるコンパクト型カメラであるのがよい。本発明のデジタルカメラは、被写体像を静止画像として記録するためのレリーズボタンと、レリーズボタンに対する指の接触を検出するボタン操作検出手段とを備えており、レリーズボタンへの指の接触が検出されると、表示手段は撮影情報を被写体像とともに表示する。ここで指の接触とは、レリーズボタン１４への半押しに加えられる力は加えられることなく、単に指をレリーズボタンの上に置いた状態という。したがって、本発明のデジタルカメラでは、レリーズボタン１４に対する操作において３段階の指の操作状態を検出し、指の接触状態は、まったく指がレリーズボタン１４に触れられていない状態と半押し状態との間の状態を示す。ただし、半押し状態はレリーズボタンに対して厳密に半分操作した状態を規定するのではなく、全押しほど押下しない状態を規定する。例えば撮影情報は、ユーザによって設定変更可能な撮影条件あるいは記録前の被写体の状態を示す情報である。撮影情報が撮影条件に関連した複数の設定項目から構成される場合、各項目が、項目内容を表すインジケータと、ユーザによって変更される設定条件から構成すればよい。この場合、表示手段は、ユーザに効率よく情報を報知するため、複数の設定項目を一覧表示するのがよい。撮影情報は、例えば露出補正値、ホワイトバランスモード、圧縮率、記録サイズ、ＩＳＯ感度及びヒストグラムなどである。
【０００６】
例えば、ボタン操作検出手段は、レリーズボタンに対する半押し及び全押し状態を更に検出する場合、ボタン操作検出手段は、積層状に配置された第１、第２及び第３の接片と、接点を有するスイッチであって、レリーズボタンに向かって接点、第３の接片、第２の接片、第１の接片の順に並べられたスイッチを有するのがよい。ボタン操作検出手段は、第１と第２の接片との接触によりレリーズボタンへの接触を検出し、第１、第２の接片が接触した状態で第２の接片が第３の接片に接触するとレリーズボタンへの半押しを検出し、第１と第２の接片および第２と第３の接片が接触した状態で第３の接片が接点に接触するとレリーズボタンへの全押しを検出する。表示手段は、ボタン操作検出手段により半押しが検出された場合、露出値を動画像に重ねて表示するのがよい。
【０００７】
本発明の撮影および表示機能を備えた携帯型電子機器は、撮影光学系によって捉えられる被写体像を、静止画像記録前に動画像として表示画面に表示する表示手段と、被写体像を静止画像として記録するためのレリーズボタンと、レリーズボタンに対する指の接触を検出するボタン操作検出手段とを備え、表示手段は、レリーズボタンへの接触が検出されると、静止画像の記録に関する撮影情報を動画像とともに表示画面に重ねて表示することを特徴とする。
【発明の効果】
【０００８】
このように本発明によれば、構図を明確に確認しながら撮影情報の検討も適時行うことができる。
【発明を実施するための最良の形態】
【０００９】
以下では、図面を参照して本発明の実施形態であるデジタルスチルカメラについて説明する。
【００１０】
図１は、本実施形態であるデジタルスチルカメラを後方から示した斜視図である。デジタルスチルカメラは、コンパクト型カメラであり、片手で保持しながら記録することができる。
【００１１】
デジタルスチルカメラ１０の上面１０Ｕには、レリーズボタン１４、モードダイアル２１、パワースイッチボタン１５が設けられている。モードダイアル２１では、撮影モード、露出設定モード、再生モードなどのモード設定を行うことができる。また、デジタルスチルカメラ１０の前面には、鏡筒（図示せず）が取り付けられている。
【００１２】
デジタルスチルカメラ１０の背面１０Ｂには、十字型の設定ボタン２０、ズームボタン２２、液晶モニタ１６、光学ファインダの接眼部１２が設けられている。設定ボタン２０は、モードダイアル２１において露出設定モードが選択されている時などに操作され、所定の操作により露出設定やカメラのカスタマイズなどが行われる。ズームボタン２２はカメラ前面に取り付けられた鏡筒内の撮影光学系（ここで図示せず）をズーミングするために操作される。デジタルスチルカメラ１０の側面１０Ｓには、メモリカードを挿入するためのカードスロット（図示せず）が形成されている。
【００１３】
モードダイアル２１の操作によって撮影モードが選択された場合、静止画像を記録可能であり、撮影光学系によって捉えられた被写体像が動画像として液晶モニタ１６に表示される。露出設定モードが選択された場合、設定ボタン２０等の操作によって露出が設定される。
【００１４】
図２は、デジタルスチルカメラ１０のブロック図である。図３は、撮影モード選択時にレリーズボタン１４に指が触れた場合の液晶モニタ１６の表示画面を示した図である。
【００１５】
ＣＰＵを含むシステムコントロール回路５０はデジタルスチルカメラ１０を制御する制御回路であり、レリーズ操作検出スイッチ５１、モードダイアルスイッチ５５などの回路がシステムコントロール回路５０に接続されている。モードダイアルスイッチ５５では、モードダイアル２１において選択されるモードに応じた信号がシステムコントロール回路５０へ送られる。またズームスイッチ５９、設定スイッチ５７では、それぞれズームボタン２２、設定ボタン２０に対する操作に応じて発生する信号がシステムコントロール回路５０へ送られる。システムコントロール回路５０内の撮影情報メモリ５６には露出補正値、測光方式等の撮影情報に関するデータが格納され、ユーザによって設定ボタン２０が操作されると、撮影情報データも応じて書き換えられる。
【００１６】
モードダイアル２１において撮影モードが選択された場合、動画像を液晶モニタ１６に表示するよう信号処理が行われる。まず、撮影光学系１３により形成される被写体像がＣＣＤ４０に結像され、被写体像に応じた画像信号がＣＣＤ４０に発生する。ＣＣＤ４０はＣＣＤ駆動回路５２によって駆動されており、発生した画像信号はＣＣＤ４０から順次読み出されてアンプ回路４２へ送られる。
【００１７】
ＣＣＤ４０から読み出された画像信号がアンプ回路４２において増幅処理されると、Ａ/Ｄ変換器４４では、アナログの画像信号がデジタルの画像信号に変換され、デジタル化された画像信号は、画像処理回路４６に送られる。画像処理回路４６では、ホワイトバランス、ガンマ補正処理などの様々な信号処理がデジタルの画像信号に対して施され、処理された画像信号はＬＣＤドライバ４７へ送られる。ＬＣＤドライバ４７は、送られてきた画像信号に基いて液晶モニタ１６を駆動し、その結果、被写体像が液晶モニタ１６に動画像として表示される。
【００１８】
撮影モードが選択された状態でレリーズボタン１４に指が触れると、レリーズ操作検出スイッチ５１により指の接触が検出される。そして撮影情報メモリ５６に格納されていた撮影情報が表示されるように、制御信号がシステムコントロール回路５０から画像処理回路４６へ送られる。その結果、液晶モニタ１６上において、被写体像に撮影情報が重ねて表示される（図３参照）。
【００１９】
ここでは、解像度が規定される記録サイズ８０、記録画像の圧縮率を示す画質８１、ホワイトバランスモード８２、測光方式８３、ＩＳＯ感度８４、露出補正値８５、明度分布を示すヒストグラム８６の撮影情報が被写体像の上に重ねて表示される。撮影情報の各項目は、撮影動作に関連し、記録画像の画質等を規定する。記録サイズ８０、画質８１、ホワイトバランスモード８２、測光方式８３、ＩＳＯ感度８４、露出補正値８５といった６つの項目は、撮影条件あるいは撮影特性に関係する。ユーザは、６つの項目に関し、任意に方式あるいは値を設定変更することが可能である。一方、ヒストグラム８６は、記録される被写体の状態を表す。
【００２０】
上記６項目（記録サイズ８０、画質８１、ホワイトバランスモード８２、測光方式８３、ＩＳＯ感度８４、露出補正値８５）各々は、項目内容を示すシンボルマークと、露出値、撮影方式等の設定条件から構成される。記録サイズ８０の場合、シンボルマーク８０ａと画素数「２０４８」を表す文字情報がモニタ１６に表示される。画質８１の場合、シンボルマーク８１ａと星のマークの配列によって表されるキャラクタ情報が表示され、星マークの数によって圧縮率が示される。同様に、ホワイトバランスモード８２は、シンボルマーク８２ａと、自動モード、デイライトモード、蛍光モードのいずれかを示す文字情報（あるいはキャラクタ情報）８２ｂとによって表示される。また、測光方式８３は、シンボルマーク８３ａと、分割測光、スポット測光、中心重点測光のいずれかを示すキャラクタ情報８３ｂとによって表示される。ＩＳＯ感度８４は、シンボルマーク８４ａと、自動設定あるいはＩＳＯ感度の値を示す文字情報８４ｂとによって表示される。露出補正値８５は、シンボルマーク８５ａと、露出補正値を示す文字情報８５ｂとによって表示される。
【００２１】
接触した状態からレリーズボタン１４が半押しされると、レリーズ操作検出スイッチ５１によって半押し操作が検出され、動画像、撮影情報の表示に加え、カメラ前面に設けられた露出検出器６３において被写体の明るさ、被写体との距離などが検出される。さらにレリーズボタン１４が全押しされると、全押し操作が検出され、撮影動作が実行される。すなわち、焦点調節のために撮影光学系１３内のフォーカスレンズがレンズ駆動回路６４によって駆動される。そして、システムコントロール回路５０から出力される制御信号に基いてシャッタ２８が開き、被写体から撮影光学系１３を通った光がＣＣＤ４０に到達する。この時シャッタ２８は、露出調整のために所定の開度まで所定期間だけ開く。レンズ駆動回路６４、シャッタ２８は露出制御回路５８によって制御されており、システムコントロール回路５０からの制御信号に基いてシャッタ２８、撮影光学系１３を駆動させる。被写体像がＣＣＤ４０の受光面に形成されると、被写体像に応じたアナログ信号が発生する。ＣＣＤ４０で発生した画像信号は、アンプ回路４２での増幅処理、Ａ/Ｄ変換器４４でのデジタル化を経て画像処理回路４６に送られる。画像処理回路４６で信号処理された画像信号は、フレームメモリ４５に一時的に格納された後、システムコントロール回路５０を経て記録制御回路６２へ送られ圧縮処理が施される。圧縮された被写体像のデータは、メモリカード６０に、静止画像データとして記録される。
【００２２】
図４は、レリーズボタン１４のあるカメラ上部の断面図である。
【００２３】
レリーズボタン１４の下部領域には、レリーズ操作検出スイッチ５１が設けられている。レリーズボタン１４は上部７１と下部７２とから構成されており、上部７１は下部７２に対して相対的に押下方向（矢印Ｙ参照）に沿って変動可能である。レリーズ操作検出スイッチ５１は、レリーズボタン１４の側から順番に、導電性である第１接片７０Ａ、第２接片７０Ｂ、第３接片７０Ｃ及び接点７０Ｄとから成る。第１接片７０Ａは、レリーズボタン１４の延部１４Ａに常時接触している。第２、第３接片７０Ｂ、７０Ｃは、一対の支持部材７３Ａ、７３Ｂおよび基底支持部材７３Ｃによって支持されており、接点７０Ｄは基底支持部材７０Ｄの中心に配置されている。第１、第２、第３接片７０Ａ、７０Ｂ，７０Ｃおよび接点７０Ｄは、互いに所定間隔を維持するように積層状に配置されており、それぞれ対応する導線（図示せず）に接続されている。レリーズボタン１４が操作されると、第１接片７０Ａは、第２接片７０Ｂ、第３接片７０Ｃ及び接点７０Ｄの方向へ向かって変位する。なお、レリーズボタン上部７１と底部７２の間にはバネは設けられていない。
【００２４】
図５は、レリーズボタン１４の断面図であり、＜初期状態＞、＜接触状態＞、＜半押し状態＞のぞれぞれの状態を表す。図６は、モードダイアル２１において撮影モードが選択された場合の液晶モニタ１６上での画面を示した図である。図５、６を用いてレリーズボタン１４に対する操作に連動した表示動作を説明する。
【００２５】
レリーズボタン上部７１に指が触れていない場合（この状態を＜初期状態＞という）、第１接片７０Ａは、第２接片７０Ｂ、第３接片７０Ｃ、接点７０Ｄのいずれとも接触していない（図５参照）。このためレリーズ操作検出スイッチ５１からはＯＮ信号が出力されず、液晶モニタ１６上には被写体のみが動画像として表示されることとなる（図６参照）。
【００２６】
レリーズボタン上部７１に指が触れられた場合（この状態を＜接触状態＞という）、第１接片７０Ａと第２接片７０Ｂが接触する（図５参照）。その結果、レリーズ操作検出スイッチ５１から接触を検出するＯＮ信号が出力され、液晶モニタ１６上には被写体とその上に撮影情報が重ねて表示されることとなる（図６参照）。ただし、この接触状態は半押し状態ほど指からレリーズボタン１４へ力は加えられない。指を離すと、第１接片７０Ａと第２接片７０Ｂは接触しなくなり、液晶モニタ１６上から撮影情報が消える。
【００２７】
＜接触状態＞において、設定ボタン２０が操作されると、操作に応じて発生する信号がシステムコントロール回路５０内の撮影情報メモリ５６に送られる。撮影情報メモリ５６では、変更された撮影情報のデータが書換えられ、特定の撮影情報が液晶モニタ１６に変更表示される。
【００２８】
レリーズボタン上部７１が矢印の方向に沿って半押しされた場合、第１接片７０Ａと第２接片７０Ｂが接触している状態において、第２接片が第３接片７０Ｃと接触する（図５参照）。その結果、レリーズ操作検出スイッチ５１から半押しに応じたＯＮ信号が出力され、液晶モニタ１６上には被写体と共にシャッタースピード８７、絞り値８８を更に加えた撮影情報が重ねて表示される（図６参照）。そしてレリーズボタン上部７１が矢印の方向に沿って全押しされた場合、第１接片７０Ａと第２接片７０Ｂが接触し、第２接片７０Ｂと第３接片７０Ｃが接触した状態で、第３接片７０Ｃが接点７０Ｄに接触する（図示せず）。これにより、レリーズ操作検出スイッチ５１から全押しに応じたＯＮ信号が出力される。この結果、静止画像がメモリカード６０に記録される。
【００２９】
以上のように本実施形態によれば、レリーズ操作検出スイッチ５１が設けられており、＜初期状態＞、＜接触状態＞、＜半押し状態＞が検出される。そして、指の接触により＜接触状態＞が検出されると同時に、被写体像とともに撮影情報が液晶モニタ１６上に表示される。
【００３０】
表示モニタ１６の大部分を占有する撮影情報８０〜８６は、ユーザの指がレリーズボタン１４に接触するまで表示されず、構図あるいは撮影範囲の設定が優先される。このため、ユーザは、撮影情報を見ることなく動画像から構図を容易に検討することが出来る。また、構図決定後はすべての撮影情報が同時に一覧表示されるため、ユーザは、構図決定後すぐにすべての撮影情報を容易に確認することができる。
【００３１】
＜接触状態＞において、露出補正、ホワイトバランス、測光方式等の撮影情報が被写体、構図に対して適当でないと判断された場合、半押し前であるため撮影情報は露出が決まる前に変更できる。さらに、レリーズボタン１４から指を離して＜初期状態＞に戻ることにより、一度表示された撮影情報を液晶モニタ１６上から直ちに消去できるため、良好な視認性を維持しながら被写体、構図の再検討を行うことが可能である。
【００３２】
デジタルスチルカメラ１０が、片手で保持された状態でもレリーズボタン１４への接触は随時可能であるため、液晶モニタ１６上での撮影情報の表示／非表示切替えは片手の操作により可能となる。なお、デジタルカメラ以外の携帯電話など、撮影及び表示機能を備えた電子機器に適用しても良い。
【図面の簡単な説明】
【００３３】
【図１】本実施形態であるデジタルスチルカメラの斜視図である。
【図２】デジタルスチルカメラのブロック図である。
【図３】被写体と撮影情報との液晶モニタ上の同時表示を示した図である。
【図４】レリーズボタンのあるカメラ上部の断面図である。
【図５】押下状態に応じたレリーズボタンの断面図である。
【図６】液晶モニタ上の被写体及び撮影情報の表示を示した図である。
【符号の説明】
【００３４】
１０  デジタルスチルカメラ
１３  撮影光学系
１４  レリーズボタン
１６  液晶モニタ
５０  システムコントロール回路
５１  レリーズ操作検出スイッチ（ボタン操作検出手段）
５６  撮影情報メモリ
７０Ａ  第１接片
７０Ｂ  第２接片
７０Ｃ  第３接片
７０Ｄ  接点
【図１】
2004254302.tif 000003
【図２】
2004254302.tif 000004
【図３】
2004254302.tif 000005
【図４】
2004254302.tif 000006
【図５】
2004254302.tif 000007
【図６】
2004254302.tif 000008